(57)【特許請求の範囲】
【請求項１】
画像表示装置が複数個組み合わされて構成されるマルチディスプレイ装置の構成要素である画像表示装置であって、
前記画像表示装置は、
画像を表示する表示部と、
前記画像表示装置を示す図形フォントを記憶する記憶部と、
前記表示部の動作制御を行って、入力された映像信号が示す画像を前記表示部に表示させる表示制御部と
を備え、
前記表示制御部には、前記マルチディスプレイ装置における前記画像表示装置の個数に関する第１の情報と、前記マルチディスプレイ装置における当該画像表示装置の配置位置に関する第２の情報とが更に入力され、
前記表示制御部は、前記第１及び第２の情報に基づいて、前記記憶部の前記図形フォントを複数組み合わせて前記マルチディスプレイ装置の構成図を前記表示部に更に表示させ、
前記構成図においては、前記マルチディスプレイ装置における自己の画像表示装置の前記配置位置を、他の画像表示装置とは異なる前記図形フォントを用いて示す、画像表示装置。
【請求項２】
請求項１に記載の画像表示装置であって、
当該画像表示装置は、その外部からのデータ入力を受け付けるデータ入力部を更に備え、
前記第１及び第２の情報は、前記データ入力部を介して前記表示制御部に入力される画像表示装置。
【請求項３】
請求項２に記載の画像表示装置であって、
前記マルチディスプレイ装置における前記画像表示装置は行列状に配列され、
前記第１の情報は、前記マルチディスプレイ装置における前記画像表示装置の行方向の個数及び列方向の個数を含む画像表示装置。
【請求項４】
請求項２に記載の画像表示装置であって、
前記マルチディスプレイ装置における前記画像表示装置は行列状に配列され、
前記第２の情報は、前記マルチディスプレイ装置における前記画像表示装置の配列において、当該画像表示装置が属する行及び列を示す情報を含む画像表示装置。
【請求項５】
請求項２に記載の画像表示装置であって、
前記表示制御部は、前記データ入力部を介して前記第１及び第２の情報を入力するためのＯＳＤ画面を前記表示部に表示させ、前記構成図は前記ＯＳＤ画面に部分的に示される画像表示装置。
【請求項６】
請求項１乃至請求項５のいずれか一つの画像表示装置を複数個組み合わせて構成される、マルチディスプレイ装置。
【発明の詳細な説明】
【技術分野】
【０００１】
本発明は、複数個の表示装置に同時に画像を表示させるマルチディスプレイ装置に関する。
【背景技術】
【０００２】
従来、複数個の表示装置（「画像表示装置」と呼ぶこともある）に同時に画像を表示させるマルチディスプレイ装置において、当該複数個の表示装置に１つの大画面映像を表示する場合、各表示装置の外部で映像を拡大し、その後に当該映像をそれぞれの表示装置に分配する方法が主流であった。そのために、画面構成を変更しようとすると、新たに表示装置を構築、制御する必要があり、多大なコストを要していた。
【０００３】
一方、特許文献１には、上記方法とは異なる手法で映像表示を行うマルチディスプレイ装置が開示されている。特許文献１のマルチディスプレイ装置にはマルチモニタ機能が搭載されており、各表示装置は、複数個の表示装置を用いて１つの大画面映像を表示する際に必要な、映像を拡大する機能や、映像信号から個々の表示装置が担当する表示領域の信号を取り出す機能を備えている。
【０００４】
特許文献１に記載のマルチディスプレイ装置のように、マルチモニタ機能が搭載されている装置においては、通常、それを構成する複数個の表示装置の個数、及び当該複数個の表示装置における個々の表示装置の配置位置を、表示装置ごとに設定する必要がある。そして、各表示装置においては、その設定した情報が文字情報として表示される。具体的には、表示装置の個数については数字で表示され、配置位置についてはそれを示す番号で表示される。なお、表示装置に関する技術が特許文献２〜４にも開示されている。
【０００５】
【特許文献１】特開２０００−１４８０８０号公報
【特許文献２】特開２００３−４４０２８号公報
【特許文献３】特開２０００−３０５５４３号公報
【特許文献４】特開２００２−１８２８９３号公報
【発明の開示】
【発明が解決しようとする課題】
【０００６】
このように、従来のマルチディスプレイ装置を構成する各表示装置においては、全体における配置位置がそれを示す番号で表示されているため、ユーザーは当該配置位置を認識しにくく、その結果、複数個の表示装置の各画面を組み合わせて構成される一つの大画面において、各表示装置がどの領域の表示を担当しているのかが把握しにくく、表示装置の調整が行い難いという問題があった。
【０００７】
そこで、本発明は上述の問題に鑑みて成されたものであり、マルチディスプレイ装置における表示装置の配置位置を簡単に認識することが可能な技術を提供することを目的とする。
【課題を解決するための手段】
【０００８】
この発明の画像表示装置は、マルチディスプレイ装置に用いられる画像表示装置であって、前記マルチディスプレイ装置は、前記画像表示装置が複数個組み合わされて構成され、前記画像表示装置は、画像を表示する表示部と、前記表示部の動作制御を行って、入力された映像信号が示す画像を前記表示部に表示させる表示制御部とを備え、前記表示制御部には、前記マルチディスプレイ装置における前記画像表示装置の個数に関する第１の情報と、前記マルチディスプレイ装置における当該画像表示装置の配置位置に関する第２の情報とが更に入力され、前記表示制御部は、前記第１及び第２の情報に基づいて、前記マルチディスプレイ装置の構成図を前記表示部に更に表示させ、前記構成図においては、当該画像表示装置の前記配置位置が示される。
【発明の効果】
【０００９】
この発明の画像表示装置によれば、マルチディスプレイ装置の構成図が表示され、当該構成図には、本画像表示装置の配置位置が示されるため、当該画像表示装置が、マルチディスプレイ装置において、どこに位置しているかを視覚的に認識し易くなる。従って、ユーザーは容易に画像表示装置の調整を行うことができる。
【発明を実施するための最良の形態】
【００１０】
実施の形態１．
図１は本発明の実施の形態１に係る画像表示装置１の構成を示すブロック図であって、図２は本画像表示装置１の表示画面１００を示す図である。また、図３は本実施の形態１に係るマルチディスプレイ装置１０の一例を示す正面図であって、本マルチディスプレイ装置１０は、図１の画像表示装置１が複数個組み合わされて構成されている。なお、マルチディスプレイ装置は、図３に示されるように通常複数個の表示装置で構成されるものであるが、以下では特に断らない限り、マルチディスプレイ装置１０には、複数個の画像表示装置１が組み合わされて構成されたものだけではなく、一つの画像表示装置１で構成されたものも含むものとする。
【００１１】
図３にも示されるように、本実施の形態１に係る画像表示装置１は、マルチディスプレイ装置１０を構成する表示装置の一つである。そして、複数個の画像表示装置１で構成されたマルチディスプレイ装置１０は、各表示装置の表示画面を組み合わせて構成される大きな表示画面（以後、「組み合わせ表示画面」と呼ぶ）を利用して、入力される映像信号が示す静止画や動画を拡大して表示することが可能である。例えば、入力される映像信号が解像度ＶＧＡの画像を示している場合、当該画像を解像度ＵＸＧＡの映像として拡大表示することが可能である。なお、マルチディスプレイ装置１０が一つの画像表示装置１で構成される場合には、本画像表示装置１の表示画面のみで上記組み合わせ表示画面が構成されるものとする。
【００１２】
図１，２に示されるように、本画像表示装置１は、信号入力端子２と、映像信号判別部３と、表示領域設定処理部４と、表示領域拡大処理部５と、表示処理部６と、表示部７と、ユーザーインタフェース部８とを備えている。信号入力端子２には、本画像表示装置１の外部に設けられたパーソナルコンピュータ等の外部装置から映像信号が入力される。映像信号判別部３は、信号入力端子２に入力された映像信号を受け取って、当該映像信号が示す画像の種類や解像度などを判別する。そして、その判別結果とともに、受け取った映像信号を表示領域設定処理部４に通知する。なお本実施の形態１では、信号入力端子２に入力される映像信号が示す画像の解像度は、本画像表示装置１で表示可能な画像の解像度と同じである。例えば、本画像表示装置１が解像度ＶＧＡで画像を表示することが可能であれば、入力される映像信号が示す画像の解像度はＶＧＡである。また、複数個の表示装置を備えるマルチディスプレイ装置１０では、各表示装置には同じ映像信号が入力される。
【００１３】
表示領域設定処理部４は、映像信号判別部３から受け取った判別結果と、ユーザーインタフェース部８が出力する情報ＩＮＦとに基づいて、入力された映像信号が示す画像全体のうちの本画像表示装置１が表示を担当する領域を示す映像信号（以後、「部分映像信号」と呼ぶ）を、当該入力された映像信号から取り出して、表示領域拡大処理部５に出力する。更に表示領域設定処理部４は、映像信号判別部３から受け取った判別結果も表示領域拡大処理部５に通知する。
【００１４】
なお後述するように、入力された映像信号と、部分映像信号とが同じ信号である場合もある。すなわち、表示領域設定処理部４は、入力された映像信号のすべてを部分映像信号として出力することがある。また情報ＩＮＦには、本画像表示装置１が属するマルチディスプレイ装置１０を構成する表示装置の個数に関する情報（以後、「個数情報ＮＩ」と呼ぶ）と、当該マルチディスプレイ装置１０における本画像表示装置１の配置位置に関する情報（以後、「位置情報ＰＩ」と呼ぶ）とが含まれている。言い換えれば、情報ＩＮＦには、当該情報ＩＮＦを利用する画像表示装置１が属するマルチディスプレイ装置１０がどれだけの個数の表示装置で構成されるかについての情報と、当該マルチディスプレイ装置１０の組み合わせ表示画面において、当該情報ＩＮＦを利用する画像表示装置１自体がどの領域の表示を担当するかについての情報が含まれている。
【００１５】
表示領域拡大処理部５は、受け取った判別結果に基づいて、入力された部分映像信号が示す画像を拡大して表示するための拡大処理を当該部分映像信号に対して行い、処理後の部分映像信号を表示処理部６に出力する。なお後述するように、表示領域拡大処理部５は、入力された部分映像信号を拡大処理を行わずにそのまま表示処理部６に出力することもある。
【００１６】
表示部７は、液晶ディスプレイパネル、ＣＲＴ、デジタルマイクロミラー・デバイス（ＤＭＤ）で構成される表示部、プラズマディスプレイパネル（ＰＤＰ）、あるいはフィールド・エミッション・ディスプレイ（ＦＥＤ）などであって、図２に示されるように表示画面１００を有している。そして、表示画面１００には、上記個数情報ＮＩ及び位置情報ＰＩの入力画面であるＯＳＤ（オンスクリーンディスプレイ）画面１１０が部分的に表示される。表示処理部６は、受け取った拡大処理後の部分映像信号に基づいて表示部７の動作制御を行い、当該部分映像信号が示す画像を表示部７に表示させる。また表示処理部６は、ユーザーインタフェース部８からＯＳＤ画面１１０の元になる画像データを受け取ると、拡大処理後の部分映像信号が示す画像とともに、当該画像データが示すＯＳＤ画面１１０を表示部７に表示させる。なお、ＯＳＤ画面１１０については後で詳細に説明する。
【００１７】
ユーザーインタフェース部８は、本画像表示装置１の外部からのデータ、例えば上記個数情報ＮＩ及び位置情報ＰＩの入力を受け付けるデータ入力部８１と、ＯＳＤ画面１１０を表示する際に使用する図形フォントを記憶する記憶部８２と、ＯＳＤ処理部８３とを備えている。データ入力部８１は、図２に示されるように、例えば表示部７が有する表示画面１００の周辺に配置された複数の操作ボタン８１ａで構成されており、当該複数の操作ボタン８１ａは、表示部７にＯＳＤ画面１１０を表示するための操作ボタンや、個数情報ＮＩ及び位置情報ＰＩを入力するための操作ボタンを含んでいる。ユーザーは当該複数の操作ボタン８１ａを操作することによって、個数情報ＮＩ及び位置情報ＰＩを本画像表示装置１に設定することができる。なお、上記図形フォントについては後で詳細に説明する。
【００１８】
ＯＳＤ処理部８３は、データ入力部８１を介して情報ＩＮＦを受け取り、当該情報ＩＮＦに基づいて、ＯＳＤ画面１１０の元になる画像データを生成して表示処理部６に通知する。そして、ＯＳＤ処理部８３と表示処理部６とで、表示制御部６０を構成している。つまり表示制御部６０は、受け取った情報ＩＮＦに基づいて表示部７にＯＳＤ画面１１０を表示させている。
【００１９】
以上のような構成を成す本実施の形態１に係る画像表示装置１は、入力された映像信号が示す画像全体のうち、自身が担当する領域のみを拡大して表示することが可能である。そして、本画像表示装置１を複数個組み合わせてマルチディスプレイ装置を構成することによって、組み合わせ表示画面全体に、外部装置から出力された映像信号が示す画像を拡大して表示することができる。
【００２０】
なお、マルチディスプレイ装置１０においては、組み合わせ表示画面全体に、入力された映像信号が示す画像を拡大して表示するだけではなく、当該画像を他の態様で表示することも可能である。図４は、マルチディスプレイ装置１０の画像表示態様のバリエーションを示す図であって、図４（ａ）〜４（ｃ）は互いに異なった画像表示態様を示している。また図４では、一例として、１６個の画像表示装置１が４行・４列で行列配置されているマルチディスプレイ装置１０の画像表示態様を示している。
【００２１】
図４（ｂ）に示されるように、本実施の形態１に係るマルチディスプレイ装置１０では、組み合わせ表示画面を、２行・２列で配列された４個の画像表示装置１の表示画面から成る４つの領域２０２に区分し、それぞれの領域２０２で、入力された映像信号が示す画像を拡大して表示することも可能である。つまり、各領域２０２に同じ画像を拡大して表示することも可能である。
【００２２】
また図４（ｃ）に示されるように、中央部に２行・２列で配列された４個の画像表示装置１の表示画面から成る領域２０４に、入力された映像信号が示す画像を拡大して表示し、それ以外の一つの画像表示装置１の表示画面から成る領域２０３のそれぞれに、入力された映像信号が示す画像全体をそのままのサイズで拡大せずに表示することも可能である。なお図４（ａ）は、１６個の画像表示装置１の表示画面から成る領域２０１全体に、すなわち組み合わせ表示画面全体に画像を拡大して表示する場合を示している。
【００２３】
上述の図４（ａ）〜４（ｃ）のそれぞれに示されるような画像表示態様に関する情報（以後、「表示態様情報」と呼ぶ）は、外部装置から映像信号とともに信号入力端子２を介して映像信号判別部３に通知され、映像信号判別部３は判別結果にこの情報を含めて表示領域設定処理部４に通知する。そして表示領域設定処理部４は、表示態様情報を含む判別結果と情報ＩＮＦとに基づいて、入力された映像信号から部分映像信号を取り出して表示領域拡大処理部５に出力する。このとき、表示態様情報が図４（ｃ）の態様を示す場合であって、当該画像表示装置１の表示画面が領域２０３に該当する場合には、入力された映像信号がそのまま部分映像信号として出力される。そして、この場合の表示領域拡大処理部５では、入力された部分映像信号が拡大処理されずにそのまま表示処理部６に出力される。また、マルチディスプレイ装置１０が一つの画像表示装置１で構成される場合には、上記場合と同様に、表示領域設定処理部４は、入力された映像信号をそのまま部分映像信号として出力し、この部分映像信号を受け取った表示領域拡大処理部５は、当該部分映像信号を拡大処理せずに表示処理部６に出力する。
【００２４】
次に、表示部７が表示するＯＳＤ画面１１０について詳細に説明する。図５，６は本実施の形態１に係るＯＳＤ画面１１０を示す図である。図５は位置情報ＰＩを固定し、個数情報ＮＩの設定を変更した場合のＯＳＤ画面１１０を示しており、図６は個数情報ＮＩを固定し、位置情報ＰＩの設定を変更した場合のＯＳＤ画面１１０を示している。
【００２５】
ＯＳＤ画面１１０は、上述のように、個数情報ＮＩ及び位置情報ＰＩを入力するための入力画面であって、図５，６に示されるように、入力された個数情報ＮＩ及び位置情報ＰＩが表示される領域１１１と、入力された個数情報ＮＩが示す個数の表示装置を備えるマルチディスプレイ装置１０の構成図１２０が表示される領域１１２とで構成されている。
【００２６】
本実施の形態１に係る画像表示装置１では、個数情報ＮＩとして、当該画像表示装置１が属するマルチディスプレイ装置１０における表示装置の個数をそのまま数字で入力することが可能である。そして、複数個の表示装置を備えるマルチディスプレイ装置１０では、当該複数個の表示装置が行列状に配列され、かつ当該複数個の表示装置の行方向の個数及び列方向の個数は同じである。従って、ユーザーは個数情報ＮＩとして、自然数の２乗倍の数字をデータ入力部８１を操作することによって入力可能である。例えば、マルチディスプレイ装置１０の表示装置が１つの場合には個数情報ＮＩとして数字“１”を入力することが可能であり、またマルチディスプレイ装置１０が複数個の表示装置を備え、当該複数個の表示装置が３行・３列で配列される場合には、個数情報ＮＩとして数字“９”を入力することが可能である。
【００２７】
また、本実施の形態１に係る画像表示装置１では、位置情報ＰＩとして、マルチディスプレイ装置１０における本画像表示装置１の配置位置を示す表示領域番号を入力することができる。マルチディスプレイ装置１０における複数個の表示装置の行列配置において、１番上の行を１行目、１番左の列を１列目として定義すると、１行・１列目に属する配置位置には表示領域番号として１番が定義されており、その配置位置から行方向に沿って並ぶ各配置位置には表示領域番号として２番から順に整数番号が定義されている。そして、２行・１列目に属する配置位置には、１行目の最後の列に属する配置位置に付された番号の次の整数番号が表示領域番号として定義されており、以下同様に、各配置位置には表示領域番号としての整数番号が定義されている。また、個数情報ＮＩとして“１”が入力され、マルチディスプレイ装置１０が一つの画像表示装置１で構成される場合には、表示領域番号として１番が入力される。
【００２８】
ＯＳＤ画面１１０の領域１１２に表示される構成図１２０には、図５，６に示されるように、マルチディスプレイ装置１０を構成する表示装置を示す図形１３０が示される。図形１３０は、本画像表示装置１を示す図形１３０ａと、他の表示装置を示す図形１３０ｂとで構成されており、図形１３０ａ，１３０ｂは視覚的に区別されるように互いに異なった態様で表示される。例えば、図形１３０ａは内部が塗りつぶされた四角形で表示され、図形１３０ｂは内部が塗りつぶされていない枠状の四角形で表示される。そして、複数個の表示装置で構成されるマルチディスプレイ装置１０に本画像表示装置１が属する場合には、当該複数個の表示装置は行列状に配置されるため、図形１３０ａ，１３０ｂも行列状に配置される。また、マルチディスプレイ装置１０が一つの表示装置だけで構成される場合には、構成図１２０として図形１３０ａだけが表示される。
【００２９】
以上の説明から理解できるように、構成図１２０は入力された個数情報ＮＩ及び位置情報ＰＩの値によって変化する。以下に、構成図１２０が変化する様子について図５，６を参照して説明する。
【００３０】
図５（ａ）に示されるように、マルチディスプレイ装置１０が一つの表示装置で構成される場合に、ユーザーが個数情報ＮＩ及び位置情報ＰＩとしてともに“１”を入力すると、領域１１２には図形１３０ａだけが構成図１２０として表示される。なお図４，５において、領域１１１に表示される文字列「ディスプレイの数」は、マルチディスプレイ装置１０を構成する表示装置の個数を意味しており、その横に表示されている数字は、入力された個数情報ＮＩの値を示している。また、領域１１１に表示される文字列「表示領域番号」の横に表示されている数字は、位置情報ＰＩとして入力された表示領域番号の値を示している。
【００３１】
そして図５（ｂ）に示されるように、３行・３列で配列された９個の表示装置で構成されるマルチディスプレイ装置１０に本画像表示装置１が使用され、ユーザーが個数情報ＮＩ及び位置情報ＰＩとしてそれぞれ“９”及び“１”を入力すると、領域１１２には３行・３列で配列された図形１３０が構成図１２０として表示されるようになり、構成図１２０において１行・１列目の位置にいる図形１３０には図形１３０ａが採用され、他の図形１３０には図形１３０ｂが採用される。このようにして、構成図１２０にはマルチディスプレイ装置１０における本画像表示装置１の配置位置が示され、ユーザーは、個数情報ＮＩ及び位置情報ＰＩが入力された本画像表示装置１が、マルチディスプレイ装置１０において、どの位置に配置されているかをＯＳＤ画面１１０を通して視覚的に認識することができる。なお、マルチディスプレイ装置１０における表示装置の配列と同様に、構成図１２０においても、一番上の行を１行目、一番左の列を１列目として定義する。
【００３２】
更に図５（ｃ）に示されるように、５行・５列で配列された２５個の表示装置で構成されるマルチディスプレイ装置１０に本画像表示装置１が使用され、ユーザーが個数情報ＮＩ及び位置情報ＰＩとしてそれぞれ“２５”及び“１”を入力すると、領域１１２には５行・５列で配列された図形１３０が構成図１２０として表示されるようになる。
【００３３】
以上のように、図５（ａ）〜５（ｃ）を参照すると、入力される個数情報ＮＩが変化すると、それに応じて構成図１２０が変化する様子が理解できる。
【００３４】
また図６（ａ）に示されるように、５行・５列で配列された２５個の表示装置で構成されるマルチディスプレイ装置１０に本画像表示装置１が使用され、かつマルチディスプレイ装置１０における１行・１列目の配置位置に本画像表示装置１が配置される場合に、ユーザーが個数情報ＮＩ及び位置情報ＰＩとしてそれぞれ“２５”及び“１”を入力すると、領域１１２には５行・５列で配列された図形１３０が構成図１２０として表示され、更に構成図１２０において１行・１列目の位置にいる図形１３０には図形１３０ａが採用され、他の図形１３０には図形１３０ｂが採用される。
【００３５】
そして図６（ｂ）に示されるように、２行・５列目の配置位置に本画像表示装置１が配置されるようになり、ユーザーが個数情報ＮＩ及び位置情報ＰＩとしてそれぞれ“２５”及び“１０”を入力すると、領域１１２に表示される構成図１２０では、２行・５列目の位置に図形１３０ａが示されるようになり、他の配置位置には図形１３０ｂが示されるようになる。
【００３６】
更に図６（ｃ）に示されるように、５行・３列目の配置位置に本画像表示装置１が配置されるようになり、ユーザーが個数情報ＮＩ及び位置情報ＰＩとしてそれぞれ数字“２５”及び“２３”を入力すると、領域１１２では、５行・３列目の位置に図形１３０ａが示されるようになり、他の位置には図形１３０ｂが示されるようになる。
【００３７】
以上のように、図６（ａ）〜６（ｃ）を参照すると、入力される位置情報ＰＩが変化すると、それに応じて構成図１２０が変化する様子が理解できる。
【００３８】
次に、図５，６に示されるようなＯＳＤ画面１１０の表示方法について説明する。ユーザーが個数情報ＮＩ及び位置情報ＰＩを設定するために、データ入力部８１におけるＯＳＤ画面１１０を表示するための操作ボタン８１ａを押すと、その情報がデータ入力部８１から表示制御部６０のＯＳＤ処理部８３に入力される。ＯＳＤ処理部８３は、前回設定された個数情報ＮＩ及び位置情報ＰＩに基づいてＯＳＤ画面１１０の元になる画像データを生成し、表示処理部６に出力する。このとき、ＯＳＤ処理部８３は記憶部８２に予め記憶されている図形フォント１５０ａ，１５０ｂを読み出して、当該図形フォント１５０ａ，１５０ｂを用いてＯＳＤ画面１１０における構成図１２０の元になる画像データを生成する。
【００３９】
図７は上記図形フォント１５０ａ，１５０ｂを示す図である。図形フォント１５０ａは、マルチディスプレイ装置１０における本画像表示装置１を示しており、図形１３０ａを表示する際に使用される。また図形フォント１５０ｂは、マルチディスプレイ装置１０における本画像表示装置１以外の表示装置を示しており、図形１３０ｂを表示する際に使用される。図７に示されるように、図形フォント１５０ａ，１５０ｂは例えばビットマップフォントであって、構成図１２０が表示される領域１１２よりも少ないドット数、例えば横１２ドット×縦１８ドットから成るフォントデータで構成されている。図形フォント１５０ａを構成するドットのうち、表示されるドットで構成される図形は図形１３０ａと同様に内部が塗りつぶされた四角形であって、図形フォント１５０ｂを構成するドットのうち、表示されるドットで構成される図形は図形１３０ｂと同様に枠状の四角形である。ＯＳＤ処理部８３は、これらの図形フォント１５０ａ，１５０ｂを、設定された個数情報ＮＩ及び位置情報ＰＩに応じて組み合わせて構成図１２０の元になる画像データを生成する。なお図８は、個数情報ＮＩ及び位置情報ＰＩとしてそれぞれ“４”及び“１”が設定されている場合の構成図１２０を示す図であって、当該構成図１２０の表示には、一つの図形フォント１５０ａと３つの図形フォント１５０ｂとが使用されている。
【００４０】
ＯＳＤ処理部８３からＯＳＤ画面１１０の元になる画像データを受け取った表示処理部６は、当該画像データに基づいて表示部の表示動作を制御して、表示部７にＯＳＤ画面１１０を表示させる。このときのＯＳＤ画面１１０には、前回入力された個数情報ＮＩ及び位置情報ＰＩと、それらの情報に応じた構成図１２０が表示される。このようにＯＳＤ画面１１０が表示部７に表示されることによって、ユーザーによる個数情報ＮＩ及び位置情報ＰＩの入力が可能になる。
【００４１】
そして、ユーザーがデータ入力部８１における所定の操作ボタン８１ａを操作して個数情報ＮＩ及び位置情報ＰＩを入力すると、これらの情報はＯＳＤ処理部８３に通知される。ＯＳＤ処理部８３は、同様にして、入力された個数情報ＮＩ及び位置情報ＰＩに基づいてＯＳＤ画面１１０の元になる新たな画像データを生成して表示処理部６に出力する。表示処理部６は、受け取った画像データに基づいて表示部７を制御し、表示部７に新たなＯＳＤ画面１１０を表示させる。このようにして、入力された個数情報ＮＩ及び位置情報ＰＩが領域１１１に表示されるとともに、それらの情報に応じた構成図１２０が領域１１２に表示される。
【００４２】
以上のように、本実施の形態１に係る画像表示装置１では、ＯＳＤ処理部８３と表示処理部６とで構成される表示制御部６０が、個数情報ＮＩ及び位置情報ＰＩに基づいて、マルチディスプレイ装置１０の構成図１２０を表示部７に表示させ、かつ当該構成図１２０には本画像表示装置１の配置位置が示されるため、本画像表示装置１が、マルチディスプレイ装置１０において、どの位置に配置されているかを視覚的に認識し易くなる。そのためユーザーは、マルチディスプレイ装置１０の組み合わせ画面において、本画像表示装置１が、どの領域の表示を担当しているのを簡単に把握することができ、当該画像表示装置１の調整を容易に行うことができる。
【００４３】
また、本実施の形態１に係る画像表示装置１が複数個組み合わされて構成されるマルチディスプレイ装置１０においては、個々の表示装置の調整が容易になり、その結果、マルチディスプレイ装置１０全体の調整時間が短縮される。
【００４４】
また、本実施の形態１に係る画像表示装置１では、外部からの個数情報ＮＩ及び位置情報ＰＩの入力を受け付けるデータ入力部８１が設けられているため、当該データ入力部８１を介して本画像表示装置１に個数情報ＮＩ及び位置情報ＰＩを簡単に入力することができる。
【００４５】
また表示制御部６０は、記憶部８２の図形フォント１５０ａ，１５０ｂを組み合わせて構成図１２０を表示部７に表示させるため、当該図形フォント１５０ａ，１５０ｂを用いて簡単に構成図１２０を表示することができる。
【００４６】
また表示制御部６０は、データ入力部８１を介して個数情報ＮＩ及び位置情報ＰＩを入力するためのＯＳＤ画面１１０を表示部７に表示させ、当該ＯＳＤ画面１１０に構成図１２０が示されるため、ユーザーは、当該画像表示装置１が、マルチディスプレイ装置１０において、どこに位置しているかを視覚的に認識しながら、個数情報ＮＩ及び位置情報ＰＩを設定することができる。従って、画像表示装置１の調整が更に容易になる。
【００４７】
なお本実施の形態１では、構成図１２０を表示する際に使用する図形フォントには一つの表示装置だけしか示されていないが、当該図形フォントに複数の表示装置を示しても良い。例えば、図９に示される図形フォント１５０ｅ〜１５０ｇのように、構成図１２０を表示する際に使用する図形フォントに２つの表示装置を示しても良い。この場合には、図形フォント１５０ｅ〜１５０ｇ以外にも、表示装置を一つだけ示す図形フォント１５０ｃ，１５０ｄが必要であり、これらの図形フォント１５０ｃ〜１５０ｇを用いてあらゆる種類の構成図１２０を表示することができる。なお図１０は、個数情報ＮＩ及び位置情報ＰＩとしてそれぞれ“９”及び“１”が設定されている場合の構成図１２０を示す図であって、当該構成図１２０は３つの図形フォント１５０ｃ、２つの図形フォント１５０ｅ及び１つの図形フォント１５０ｆを組み合わせて構成されている。
【００４８】
このように、一つの図形フォントに複数の表示装置を示すことによって、構成図１２０の表示領域を小さくすることができ、マルチディスプレイ装置１０を構成する表示装置が増加した場合であっても所定の大きさのＯＳＤ画面１１０に容易に構成図１２０を表示することができる。
【００４９】
また、本画像表示装置１の外部に設けられたコンピュータが記憶部８２に対してデータの書き込みを行えるように本画像表示装置１を構成してもよい。この場合には、記憶部８２が記憶する、図形フォント１５０ａ，１５０ｂなどのフォントデータを簡単に書き換えることができ、構成図１２０を図５，６に示される態様とは異なった態様で表示することが可能になる。
【００５０】
また本実施の形態１では、図形フォント１５０ａ〜１５０ｇを横１２ドット×縦１８ドットで構成していたが、他のドット数で構成しても良い。
【００５１】
また本実施の形態１では、ＯＳＤ画面１１０を一つの画面で構成していたが、２つの画面で構成し、個数情報ＮＩ及び位置情報ＰＩと、構成図１２０とをそれぞれに示してもよい。図１１はこの場合の本画像表示装置１の表示画面１００を示す図である。また、図１２はこの場合のＯＳＤ画面１１０を示す図であって、上述の図５に対応している。図１１，１２に示されるように、ＯＳＤ画面１１０は画面１１０ａ，１１０ｂで構成されており、画面１１０ａには個数情報ＮＩ及び位置情報ＰＩが示されており、画面１１０ｂには構成図１２０が示されている。このようにＯＳＤ画面１１０を２つの画面で構成する場合でも、上記効果を得ることができる。
【００５２】
実施の形態２．
上述の実施の形態１に係る画像表示装置１では、ビットマップフォントの図形フォント、言い換えれば、横１２ドット×縦１８ドットで構成されるビットマップデータを複数組み合わせてマルチディスプレイ装置１０の構成図１２０を表現していたが、本実施の形態２に係る画像表示装置１では、図形フォントを使用せずに、ＯＳＤ画面１１０における領域１１２と同じドット数で構成される一つのビットマップデータで構成図１２０を表現するものである。従って、本実施の形態２に係る画像表示装置１では、図形フォントを記憶する記憶部８２は不要になる。なお、本実施の形態２に係る画像表示装置１のその他の構成は、実施の形態１に係る画像表示装置１と同じであるため、その説明は省略する。
【００５３】
図１３は本実施の形態２に係る画像表示装置１で表示される構成図１２０を示す図である。図１３（ａ）は個数情報ＮＩ及び位置情報ＰＩとしてともに“１”が入力された場合の構成図１２０を示しており、図１３（ｂ）は個数情報ＮＩ及び位置情報ＰＩとしてそれぞれ“４”及び“１”が入力された場合の構成図１２０を示している。また、図１３（ｃ）は個数情報ＮＩ及び位置情報ＰＩとしてそれぞれ“９”及び“１”が入力された場合の構成図１２０を示しており、図１３（ｄ）は個数情報ＮＩ及び位置情報ＰＩとしてそれぞれ“９”及び“５”が入力された場合の構成図１２０を示している。また、図１３（ｅ）は個数情報ＮＩ及び位置情報ＰＩとしてともに“９”が入力された場合の構成図１２０を示している。
【００５４】
図１３に示されるように、本実施の形態２では、マルチディスプレイ装置１０を一つの大きな表示画面を有する表示装置としてイメージし、当該マルチディスプレイ装置１０の構成図１２０を表示している。例えば、個数情報ＮＩとして“１”が入力された場合には、図１３（ａ）に示されるように、一つの大きな表示画面を有する表示装置を示す図形１４０が構成図１２０として表示される。そして、入力される個数情報ＮＩの値が“１”から“４”に増加すると、図１３（ｂ）に示されるように、表示画面がマトリック状に４つに分割された表示装置を示す図形１４０が表示される。また、入力される個数情報ＮＩの値が“１”から“９”に増加すると、図１３（ｃ）〜１３（ｅ）に示されるように、表示画面がマトリック状に９つに分割された表示装置を示す図形１４０が表示される。
【００５５】
このように、ＯＳＤ画面１１０の領域１１２には、入力された個数情報ＮＩが示す表示装置の数と同じだけ表示画面が分割された表示装置を示す図形１４０が構成図１２０として表示され、当該図形１４０において分割画面を示す部分（以後、「分割画面部分」と呼ぶ）は、マルチディスプレイ装置１０を構成する複数個の表示装置にそれぞれ対応している。すなわち、図形１４０における各分割画面部分は、マルチディスプレイ装置１０においてそれと同じ配列位置に配置されている表示装置に対応している。
【００５６】
更に図形１４０においては、図１３（ｂ）〜１３（ｅ）に示されるように、本画像表示装置１に対応する分割画面部分は、他の分割画面部分とは異なった態様で表示される。本例では、本画像表示装置１に対応する分割画面部分のみに斜線が付されている。このようにして、構成図１２０には本画像表示装置１の配置位置が示されている。
【００５７】
図１３に示されるような構成図１２０は、ＯＳＤ処理部８３が、入力された個数情報ＮＩ及び位置情報ＰＩに基づいて、構成図１２０の元になる、領域１１２のドット数と同じドット数のビットマップデータを生成して表示処理部６に出力し、表示処理部６が当該ビットマップデータに基づいて表示部７を制御することによって表示部７に表示される。
【００５８】
このように、本実施の形態２に係る画像表示装置では、構成図１２０が表示される領域１１２と同じドット数のビットマップデータを用いて構成図１２０を表現しているため、実施の形態１に係る画像表示装置１よりも構成図１２０の表示態様を自由に設定することが可能になる。例えば、図１３に示される表示態様以外にも、図１４に示されるように、図形１４０において、本画像表示装置１に対応する分割画面部分に、斜線を付する替わりに入力された表示領域番号を付することも可能である。また図１５，１６に示されるように、マルチディスプレイ装置１０が複数個の表示装置が組み合わされて構成されているものとしてイメージし、実際のマルチディスプレイ装置１０の構成に近い態様で構成図１２０を表示することも可能である。
【００５９】
図１５，１６に示される構成図１２０では、マルチディスプレイ装置１０が複数個の表示装置で構成されている場合には、一つの表示装置を示す図形１４５がマトリックス状に複数組み合わせれて示されており、当該複数の図形１４５はマルチディスプレイ装置１０を構成する複数個の表示装置にそれぞれ対応している。そして、本画像表示装置１に対応する図形１４５は、他の図形１４５とは異なった態様で表示されている。例えば、図１５の構成図１２０では、本画像表示装置１に対応する図形１４５のみに斜線が付されており、図１６の構成図１２０では、本画像表示装置１に対応する図形１４５には、入力された表示領域番号が付されている。なお、図１５（ａ），１６（ａ）に示されるように、個数情報ＮＩとして数字“１”が入力された場合、つまりマルチディスプレイ装置１０が一つの表示装置で構成される場合には、一つの図形１４５が構成図１２０として表示される。
【００６０】
実施の形態３．
上述の実施の形態１，２に係る画像表示装置１では、データ入力部８１は、個数情報ＮＩとして、マルチディスプレイ装置１０を構成する表示装置の個数をそのまま受け付けていたが、本実施の形態３に係る画像表示装置１では、データ入力部８１は、個数情報ＮＩとして、マルチディスプレイ装置１０を構成する表示装置の行方向の個数及び列方向の個数を受け付けることが可能である。つまりユーザーは、データ入力部８１を操作することによって、マルチディスプレイ装置１０を構成する表示装置の行方向の個数及び列方向の個数を入力することができる。そして、本実施の形態３に係るマルチディスプレイ装置１０では、表示装置の行方向の個数と列方向の個数とを相互に異なる値にも設定することができる。例えば、表示装置が２行・３列で配列されたマルチディスプレイ装置１０を構成することができる。なお位置情報ＰＩとしては、実施の形態１，２と同様に表示領域番号が入力される。また、本実施の形態３に係る画像表示装置１のその他の構成は、実施の形態１と同じであるためその説明は省略する。
【００６１】
図１７，１８は本実施の形態３に係る画像表示装置１で表示されるＯＳＤ画面１１０を示す図であって、図５，６にそれぞれ対応している。なお、領域１１１に表示される文字列「水平ディスプレイの数」は、マルチディスプレイ装置１０を構成する表示装置の行方向の個数を意味しており、その横に表示されている数字は、入力された当該行方向の個数を示している。また、領域１１１に表示される文字列「垂直ディスプレイの数」は、マルチディスプレイ装置１０を構成する表示装置の列方向の個数を意味しており、その横に表示されている数字は、入力された当該列方向の個数を示している。
【００６２】
図１７（ａ）に示されるように、ユーザが操作ボタン８１ａを操作して行方向及び列方向の個数としてともに“１”を入力すると、領域１１２には図形１３０ａだけが構成図１２０として表示される。そして図１７（ｂ）に示されるように、ユーザーが行方向及び列方向の個数としてともに“３”を入力すると、領域１１２には３行・３列で配列された図形１３０が構成図１２０として表示されるようになる。更に図１７（ｃ）に示されるように、ユーザーが行方向及び列方向の個数としてともに“５”を入力すると、領域１１２には５行・５列で配列された図形１３０が構成図１２０として表示されるようになる。
【００６３】
また図１８（ａ）に示されるように、ユーザが行方向及び列方向の個数としてともに“５”を入力し、更に表示領域番号として“１”を入力すると、領域１１２には５行・５列で配列された図形１３０が構成図１２０として表示され、更に構成図１２０における１行・１列目の位置には図形１３０ａが示される。そして図１８（ｂ）に示されるように、ユーザーが表示領域番号として“１０”を入力すると、領域１１２に表示される構成図１２０では、２行・５列目の位置に図形１３０ａが示されるようになる。更に、ユーザーが表示領域番号として“２３”を入力すると、領域１１２に表示される構成図１２０では、５行・３列目の位置に図形１３０ａが示されるようになる。
【００６４】
このように、本実施の形態３に係る画像表示装置１では、データ入力部８１が、個数情報ＮＩとして、マルチディスプレイ装置１０を構成する表示装置の行方向の個数及び列方向の個数を受け付けるため、ユーザーは、マルチディスプレイ装置１０における表示装置の行列配置を参照しながら個数情報ＮＩを簡単に入力することができる。
【００６５】
実施の形態４．
上述の実施の形態３に係る画像表示装置１では、データ入力部８１は、位置情報ＰＩとして表示領域番号を受け付けていたが、本実施の形態４に係る画像表示装置１では、データ入力部８１は、位置情報ＰＩとして、水平表示領域番号及び垂直表示領域番号を受け付けることが可能である。つまりユーザーは、データ入力部８１を操作することによって、水平表示領域番号及び垂直表示領域番号を入力することができる。ここで水平表示領域番号とは、マルチディスプレイ装置１０における表示装置の配列において、本画像表示装置１が属する列を示す情報、例えば列番号を意味しており、垂直表示領域番号とは、当該配列において、本画像表示装置１が属する行を示す情報、例えば行番号を意味している。なお、本実施の形態４に係る画像表示装置１のその他の構成は、実施の形態３と同じであるためその説明は省略する。
【００６６】
図１９，２０は本実施の形態４に係る画像表示装置１で表示されるＯＳＤ画面１１０を示す図であって、図１７，１８にそれぞれ対応している。なお、領域１１１に表示される文字列「水平表示領域番号」の横に表示される数字は、入力された列番号を示しており、文字列「垂直表示領域番号」の横に表示される数字は、入力された行番号を示している。
【００６７】
図１９（ａ）に示されるように、ユーザが操作ボタン８１ａを操作して行方向及び列方向の個数としてともに“１”を入力し、更に水平表示領域番号及び垂直表示領域番号としてともに“１”を入力すると、領域１１２には図形１３０ａだけが構成図１２０として表示される。そして図１９（ｂ），１９（ｃ）に示されるように、ユーザーが行方向及び列方向の個数を変更すると、領域１１２に表示される構成図１２０もそれに応じて変化する。
【００６８】
また図２０（ａ）に示されるように、ユーザが行方向及び列方向の個数としてともに“５”を入力し、更に水平表示領域番号及び垂直表示領域番号としてともに“１”を入力すると、領域１１２には５行・５列で配列された図形１３０が構成図１２０として表示され、更に構成図１２０における１行・１列目の位置には図形１３０ａが表示される。そして図２０（ｂ）に示されるように、ユーザーが水平表示領域番号及び垂直表示領域番号としてそれぞれ“５”及び“２”を入力すると、領域１１２に表示される構成図１２０では、２行・５列目の位置に図形１３０ａが示されるようになる。更に、ユーザーが水平表示領域番号及び垂直表示領域番号としてそれぞれ“３”及び“５”を入力すると、領域１１２に表示される構成図１２０では、５行・３列目の位置に図形１３０ａが示されるようになる。
【００６９】
このように、本実施の形態４に係る画像表示装置１では、データ入力部８１が、マルチディスプレイ装置１０において本画像表示装置１が属する行を示す情報及び列を示す情報を、位置情報ＰＩとして受け付けるため、ユーザーはマルチディスプレイ装置１０における表示装置の行列配置を参照しながら、簡単に位置情報ＰＩを入力することができる。
【図面の簡単な説明】
【００７０】
【図１】本発明の実施の形態１に係る画像表示装置の構成を示すブロック図である。
【図２】本発明の実施の形態１に係る画像表示装置の表示画面を示す図である。
【図３】本発明の実施の形態１に係るマルチディスプレイ装置の構成を示す正面図である。
【図４】本発明の実施の形態１に係るマルチディスプレイ装置の表示態様を示す図である。
【図５】本発明の実施の形態１に係る画像表示装置が表示するＯＳＤ画面を示す図である。
【図６】本発明の実施の形態１に係る画像表示装置が表示するＯＳＤ画面を示す図である。
【図７】本発明の実施の形態１に係る画像表示装置が使用する図形フォントを示す図である。
【図８】本発明の実施の形態１に係る画像表示装置が使用する図形フォントを示す図である。
【図９】本発明の実施の形態１に係る画像表示装置が使用する図形フォントを示す図である。
【図１０】本発明の実施の形態１に係る画像表示装置が使用する図形フォントを示す図である。
【図１１】本発明の実施の形態１に係る画像表示装置の表示画面を示す図である。
【図１２】本発明の実施の形態１に係る画像表示装置が表示するＯＳＤ画面を示す図である。
【図１３】本発明の実施の形態２に係る画像表示装置が表示するＯＳＤ画面を示す図である。
【図１４】本発明の実施の形態２に係る画像表示装置が表示するＯＳＤ画面を示す図である。
【図１５】本発明の実施の形態２に係る画像表示装置が表示するＯＳＤ画面を示す図である。
【図１６】本発明の実施の形態２に係る画像表示装置が表示するＯＳＤ画面を示す図である。
【図１７】本発明の実施の形態３に係る画像表示装置が表示するＯＳＤ画面を示す図である。
【図１８】本発明の実施の形態３に係る画像表示装置が表示するＯＳＤ画面を示す図である。
【図１９】本発明の実施の形態４に係る画像表示装置が表示するＯＳＤ画面を示す図である。
【図２０】本発明の実施の形態４に係る画像表示装置が表示するＯＳＤ画面を示す図である。
【符号の説明】
【００７１】
１  画像表示装置、７  表示部、１０  マルチディスプレイ装置、６０  表示制御部、８１  データ入力部、８２  記憶部、１１０  ＯＳＤ画面、１２０  構成図、１５０ａ〜１５０ｇ  図形フォント。
【図１】
0004698139.tif 000002
【図２】
0004698139.tif 000003
【図３】
0004698139.tif 000004
【図４】
0004698139.tif 000005
【図５】
0004698139.tif 000006
【図６】
0004698139.tif 000007
【図７】
0004698139.tif 000008
【図８】
0004698139.tif 000009
【図９】
0004698139.tif 000010
【図１０】
0004698139.tif 000011
【図１１】
0004698139.tif 000012
【図１２】
0004698139.tif 000013
【図１３】
0004698139.tif 000014
【図１４】
0004698139.tif 000015
【図１５】
0004698139.tif 000016
【図１６】
0004698139.tif 000017
【図１７】
0004698139.tif 000018
【図１８】
0004698139.tif 000019
【図１９】
0004698139.tif 000020
【図２０】
0004698139.tif 000021